(57)【要約】【課題】  アスベスト繊維が除去作業区域外へ飛散及び流出すること防止するとともに、アスベスト除去処理の工期を短縮できるアスベスト除去処理の隔離密封養生方法及びエラストマーをアスベスト除去処理の被養生面養生材に使用する方法を提供する。【解決手段】  アスベスト除去の作業区域の被養生面にエラストマーを噴霧して塗布し、被養生面をエラストマーで被覆して作業区域を養生する。これにより、アスベスト除去処理の作業区域の養生に継ぎ目がない、強固な被膜からなる隔離密封養生を行うことができることから、アスベスト除去作業区域外にアスベスト繊維が飛散すること（特に、アスベスト除去処理の作業区域の床面からの流出）を確実に防止できる。また、養生をエラストマーの吹き付けという一の工程作業で行うことができることから、養生シートの接合作業を省略でき、工期を短縮できる。【選択図】なし【特許請求の範囲】
【請求項１】
アスベスト除去の作業区域の被養生面にエラストマーを噴霧して塗布し、被養生面をエラストマーで被覆して作業区域を隔離密封養生することを特徴とするアスベスト除去処理の隔離密封養生方法。
【請求項２】
アスベスト除去の作業区域の被養生面にエラストマーを噴霧して塗布し、被養生面をエラストマーで被覆して作業区域を養生することを特徴とするエラストマーをアスベスト除去処理の被養生面養生材に使用する方法。
【発明の詳細な説明】
【技術分野】
【０００１】
本発明は、アスベスト除去処理において除去作業区域を形成する被養生面を養生するアスベスト除去処理の隔離密封養生方法及びエラストマーをアスベスト除去処理の被養生面養生材に使用する方法に関する。
【背景技術】
【０００２】
昭和年代に建設された建築物では、その天井、壁、床などの壁面の耐火被覆材、保温材、吸音材、断熱材等としてアスベスト（石綿）が使用されていた。現在、アスベストを吸い込むと悪性中皮腫の原因となることが知られているため、アスベストを使用する建築物については、建築物の解体時にアスベストの除去処理が行われる。
【０００３】
壁面のアスベスト除去処理では、アスベスト除去等作業時に発したアスベスト繊維が除去作業区域外へ拡散することを防止するため、除去作業区域を隔離密封する養生が行われる。
現在、除去作業区域の養生に際しては、天井、壁の養生材には、厚さ０．０８ｍｍ以上のポリエチレンシート又はプラスチックシート（以下「ポリシート」という。）が使用されている。床面の養生材には、天井、壁の養生材より厚いポリシート、厚さ０．１５ｍｍのポリエチレンシート又はプラスチックシートを２枚重ね敷きしたものが使用されている（たとえば、非特許文献１、２）。また、アスベスト処理における床面の養生材の破損を確実に防止できる防水材をアスベスト処理の床面養生材に使用する方法も提供されている（たとえば、特許文献１）。
【先行技術文献】
【特許文献】
【０００４】
【特許文献１】特開２００６−８３６００号公報
【非特許文献】
【０００５】
【非特許文献１】「改訂既存建築物の吹付けアスベスト粉じん飛散防止処理技術指針・同 解説２００６」、財団法人日本建築センター、平成１８年１１月２０日、ｐ．５９−６１
【非特許文献２】「改訂版建築物の解体等工事における石綿粉じんへのばく露防止マニュ アル」、建築業労働災害防止協会企画開発課、平成２０年３月２６日、ｐ．４６−４９
【発明の概要】
【発明が解決しようとする課題】
【０００６】
特許文献１の防水材の接合部や非特許文献１、２のポリシートは布粘着テープ（養生テープ）で接着し、作業区域を隔離密封する。しかし、接合部を布粘着テープで接着する養生は、仮止めに等しく、強固な接着で接合部が貼り合わせられているわけではない。したがって、仮止めの接合部からアスベスト繊維が除去作業区域外へ流出し、外部に拡散するおそれがあった。
また、アスベスト除去処理において養生作業は、除去処理全体の５割を占めることから、養生作業の時間を短縮するためには多くの人工が必要となっていた。
【０００７】
本発明は、上記問題を解決するために、アスベスト繊維が除去作業区域外へ飛散及び流出すること防止するとともに、アスベスト除去処理の工期を短縮できるアスベスト除去処理の隔離密封養生方法及びエラストマーをアスベスト除去処理の被養生面養生材に使用する方法を提供することを目的とするものである。
【課題を解決するための手段】
【０００８】
本発明のアスベスト除去処理の隔離密封養生方法は、アスベスト除去の作業区域の被養生面にエラストマーを噴霧して塗布し、被養生面をエラストマーで被覆して作業区域を隔離密封養生するようにしたものである。
【０００９】
本発明のエラストマーをアスベスト除去処理の被養生面養生材に使用する方法は、アスベスト除去の作業区域の被養生面にエラストマーを噴霧して塗布し、被養生面をエラストマーで被覆して作業区域を養生するようにしたものである。
【発明の効果】
【００１０】
本発明は、アスベスト除去処理の作業区域の養生作業において、エラストマーの噴霧により被養生面を被覆し養生するものである。これにより、アスベスト除去処理の作業区域の養生に継ぎ目がない、強固な被膜からなる隔離密封養生を行うことができることから、アスベスト除去作業区域外にアスベスト繊維が飛散すること（特に、アスベスト除去処理の作業区域の床面からの流出）を確実に防止できる。また、養生をエラストマーの吹き付けという一の工程作業で行うことができることから、養生シートの接合作業を省略でき、工期を短縮できる。
【発明を実施するための形態】
【００１１】
本発明は、アスベスト除去処理の作業区域の養生作業において、作業区域の養生に継ぎ目がない、強固な被膜からなる隔離密封養生を行うことを実現するものである。
【実施例】
【００１２】
本発明のアスベスト除去処理の隔離密封養生方法は、アスベスト除去の作業区域の被養生面にエラストマー（弾力ゴム）を噴霧して塗布し、被養生面をエラストマーで被覆して作業区域を隔離密封養生するようにしたものである。すなわち、アスベスト除去の作業区域の被養生面にエラストマーを噴霧して塗布し、被養生面をエラストマーで被覆して作業区域を養生することを特徴とするエラストマーをアスベスト除去処理の被養生面養生材に使用する方法である。
本発明に係るエラストマーとは、弾性のある高分子材料（熱可塑性エラストマーThermoplastic Elastomer、熱硬化性樹脂系エラストマーThermosetting Elastomers）である。例えば、ポリウレア樹脂、ポリウレタン樹脂などのゴム弾性を有する材料であるが、その他の弾性のある高分子材料でもよい。
【００１３】
（被養生面の養生）
本実施例では、被養生面の養生の一例として、三井化学産資株式会社が提供する瞬間硬化コーティング工法「スワエール（登録商標）上水システム」（防食防水システム）を用いて、アスベスト除去の作業区域の養生を行った。
上記システムは、ポリウレア樹脂用イソシアネート成分（イソシアネートＲ-ＮＣＯ）とポリウレア樹脂用アミン成分（特殊硬化剤Ｒ´-ＮＨ２）の２成分が重合（ウレア結合）してなるポリウレア樹脂Ｒ-ＮＨ-ＣＯ-ＮＨ-Ｒ´（製品名「スワエール」（登録商標））のエラストマーをスプレーするものである。イソシアネートＲ-ＮＣＯと特殊硬化剤Ｒ´-ＮＨ２の２成分をそれぞれポンプ圧力にてスプレーガンに送り、スプレーガンの先端（ノズル）にて２成分を衝突混合させて被養生面に向けてスプレーする。これにより、被養生面にシームレスな塗膜（継ぎ目のない養生）を形成でき、強固な床面養生ができる。
三井化学産資株式会社の調べでは、上記システムで塗布された被膜は、スプレー後水平面では３０秒後の歩行が可能であり、氷点下（−１５℃以上）でも硬化するものである。また、ゲルタイムが短いことにより、天井面や壁面に継続して噴霧しても天井面や壁面からポリウレア樹脂が垂れることはない。また、厚塗りができる。イソシアネートＲ-ＮＣＯと特殊硬化剤Ｒ´-ＮＨ２の２成分の混合液は被養生面に均一にスプレーされ、被養生面に塗布されたエラストマーの被膜は、塗布後約２〜３分で完全硬化した。
なお、上例のスワエール（登録商標）の塗膜は、溶剤公害がなく密封空間における作業を可能とするものである。
【００１４】
被養生面の養生の他の例として、株式会社ダイフレックスが提供する超速硬化ウレタンスプレーシステム（超速硬化ウレタン吹付けシステム）「ＣＯＳＭＩＣ−ＲＩＭ（登録商標）ＳＹＳＴＥＭ」を用いて、アスベスト除去の作業区域の養生を行った。
上記システムは、イソシアネートＲ-ＮＣＯ（主剤）とポリエーテルポリオールＲ´-ＯＨ及び特殊アミンの混合レジン（硬化剤）の２成分が重合してなるポリウレタン樹脂Ｒ-ＮＨ-ＣＯ-Ｏ-Ｒ´のエラストマーをスプレーするものである。イソシアネートＲ-ＮＣＯとポリエーテルポリオールＲ´-ＯＨ及び特殊アミンの混合レジンの２成分をそれぞれポンプ圧力にてスプレーガンに送り、スプレーガンの先端（ノズル）にて２成分を衝突混合させて被養生面に向けてスプレーする。これにより、被養生面にシームレスな塗膜（継ぎ目のない養生）を形成でき、強固な床面養生ができる。また、２成分の混合液（エラストマー）は被養生面に均一にスプレーされ、被養生面に塗布されたエラストマーの被膜は、塗布後約３分で完全硬化した。
超速硬化ウレタンスプレーシステムによるウレタン塗膜は耐磨耗性・耐久性に優れ、伸び弾性のあるシームレスな塗膜（継ぎ目のない養生）を形成し、高い防水性能を有することから、下地の挙動に対する追従性能を有する強固な床面養生ができる。
【００１５】
上記２つのシステムによる、アスベスト除去の作業区域の被養生面（床面、壁面、天井面等）に対するエラストマー（弾力ゴム）の吹き付け作業は、容易であり、短期間に行うことができる。
また、養生する除去作業区域の被養生面にエラストマーを噴霧して塗布することにより、吹き付けという一の作業（工程）で被養生面を被覆できる。エラストマーで被覆された被養生面の被膜には継ぎ目はなく、強固なゴムの被膜で被養生面を養生できることから、除去作業区域を隔離密封することが可能になる。
以上のとおり、本発明のアスベスト除去処理の隔離密封養生方法及びエラストマーをアスベスト除去処理の被養生面養生材に使用する方法によると、アスベスト除去作業区域の被養生面を隔離密封養生できる。
【００１６】
（天井部分のアスベスト含有建材を除去する場合の養生作業について）
上記瞬間硬化コーティング工法（防食防水システム）により、アスベスト除去の作業区域の被養生面（本養生においては、天井部分を除く床面と壁面）にエラストマーを噴霧し吹付ける。これにより、被養生面（床面及び壁面）が継ぎ目のないエラストマーの被膜により被覆され、養生されることになる。
なお、被養生面の被覆層すなわちコーティング層（ゴム）の厚さは、吹付けを繰り返すことにより調整する。
【００１７】
（建築物の外壁部分のアスベスト含有建材を除去する場合の養生作業について）
上記瞬間硬化コーティング工法（防食防水システム）により、アスベスト除去の作業区域に被養生面（本養生においては、建築物の外壁面に仮設される作業区域の床面）にエラストマーを噴霧し吹付ける。これにより、被養生面（床面）が継ぎ目のないエラストマーの被膜により被覆され、養生されることになる。
【００１８】
（プライマーの吹き付け）
アスベスト除去の作業区域の被養生面にエラストマーを強固に接着させる必要がある場合は、プライマー（接着剤）を被養生面の要所に塗布する。
プライマーは、エラストマーの強固な接着を要しない箇所には塗布しない。また、エラストマーの接着を要しない箇所に予め水を散布しておけば、エラストマーは接着しない。
【００１９】
（従来の養生作業との比較）
アスベスト除去の作業区域の隔離密封養生における、従来の養生シートの張り付け（マスキング工程）は、養生シート（ポリエチレンシート）を除去作業区域に被せてマスキングする。例えば、床面養生の場合、厚み０．１５ｍｍ以上の養生シートを２枚重ねしたものを床面に張り合わせる。各養生シートの接合部分には養生テープ（粘着テープ）を貼り、各養生シートを張り合わせる。天井面や壁面の養生の場合には、厚み０．０８ｍｍ以上の養生シート１枚を張り合わせ、各養生シートの接合部分には養生テープ（粘着テープ）を貼り、各養生シートを張り合わせる。
本発明は、上記マスキングに代えて、被養生面にエラストマーの吹付けを行うものであり、マスキングすなわち養生シート及び養生テープ（粘着テープ）を用いない隔離密封養生方法である。
（従来のアスベスト除去の隔離密封養生の問題点）
従来のアスベスト除去等区域内の床・壁・天井部分の隔離密封養生は、ポリエチレンシート（養生シート）を用いて行われる。その養生シートの張り合わせや固定には布粘着テープが使用されている。
吹き付けアスベスト等建材の除去等処理では、除去中アスベスト粉塵の飛散を最小限に抑制するために、水又は粉塵飛散抑制剤を吹き付けし、アスベスト建材を湿潤な状態にして除去等を実施する。アスベスト建材を湿潤する際、水分の浸透を促進するため界面活性剤が添加された処理剤を使用するのが一般的であるが、その界面活性剤入りの水分が養生テープの粘着部分に浸透してテープの剥離現象を起こすことから、除去作業においてポリエチレンシートが剥離され、隔離密封養生が不完全となることがあった。また、このとき、湿潤作業で生じた余剰水分が隔離区域外へ流出することもあった。
本発明は、養生シート及び粘着テープ（マスキング）を用いて作業区域を隔離密封養生する方法ではなく、エラストマーを被養生面養生材として使用し、継ぎ目の無いゴム被膜（硬化後のエラストマー）で作業区域を隔離密封養生する方法である。したがって、本発明においては、隔離密封養生が不完全となることや湿潤作業で生じた余剰水分が隔離区域外へ流出することなどの問題が生じることはない。
【００２０】
また、被養生面にエラストマーを噴霧し吹付けして形成される被養生面の被膜が従来の養生シートに代わるものになる。したがって、本発明による養生では、従来の養生シートの張り付け工程が無くなり、また、養生シートの張り付けに関わる養生作業を吹き付けという単一の作業に置き換えることができることから、工期の短縮、人工（養生の作業コスト）の削減ができる。
また、被養生面にエラストマーを噴霧し吹付けして形成される被養生面の被膜によると、段差のある被養生面、凹凸のある被養生面、湾曲した被養生面など、従来の養生シートによる養生作業に時間を要していた被養生面、養生シートによる養生が困難な被養生面の養生も簡単にできることから、工期の短縮、人工（養生の作業コスト）の削減ができる。
【００２１】
以上の通り、本発明によると、汚泥水等のアスベスト含有物を廃棄処理する隔離養生区域の作業環境を改善できるとともに、工事コストを軽減することができる。